(57)【特許請求の範囲】
【請求項１】
空間に画像を結像させた表示面において、利用者に対して情報を提示する表示部と、
来店者を認証する認証部と、
販売する各商品の商品情報を表示条件に関連付けて記憶した商品情報記憶部と、
顧客ＩＤ、顧客属性、購入履歴を記憶した顧客情報記憶部と、
情報提供サーバに接続され、前記表示面の表示形態を制御する制御部とを備えた情報表示システムであって、
前記制御部が、
来店者を検知し、前記来店者の来店者画像に基づいて、前記来店者の第１の属性を特定し、複数の第１の属性を特定した場合には、数が多い第１の属性を特定するとともに、前記情報提供サーバから環境情報を取得し、
前記商品情報記憶部から、前記第１の属性及び前記環境情報に応じた一般向け情報を前記表示面に出力し、
前記認証部において前記来店者を認証して、顧客ＩＤを特定した場合、前記顧客情報記憶部から第２の属性として顧客属性、購入履歴を取得し、前記購入履歴に基づいて前記商品情報記憶部において関連商品を特定し、前記表示面における表示形態を前記第２の属性に応じて変更し、前記関連商品に関する個人向け情報を出力することを特徴とする情報表示システム。
【請求項２】
前記制御部が、前記認証部において前記来店者を認証した場合、前記表示部の表示面を水平面に近くなるように、前記第２の属性に応じた角度で変更することを特徴とする請求項１に記載の情報表示システム。
【請求項３】
前記制御部が、前記認証部において前記来店者を認証した場合、前記表示面のサイズを変更することを特徴とする請求項１又は２に記載の情報表示システム。
【請求項４】
前記表示面において、非接触で前記利用者の操作位置を特定する入力部を更に備え、前記制御部が、前記操作位置に応じた情報を出力することを特徴とする請求項１〜３の何れか１項に記載の情報表示システム。
【発明の詳細な説明】
【技術分野】
【０００１】
本発明は、店頭において、来店者に対して情報を提供するための情報表示システムに関する。
【背景技術】
【０００２】
商店においては、来店者に対して、店頭端末を利用して、各種商品情報を提供することがある。例えば、店内の複数箇所に設置し、目的とする商品の売場を顧客が検索、表示、印刷する店内案内情報検索システムが検討されている（例えば、特許文献１参照）。この文献に記載された技術においては、顧客が求めている商品の売場をデータファイル部により検索し、道順を演算して表示部に表示する。
【０００３】
また、情報を出力する装置として空中タッチパネル（空中ディスプレイ）が検討されている（例えば、特許文献２参照）。この文献に記載された技術においては、結像させる画像を他の光源からの反射光でない空間画像とし、この空間画像の特定位置を指、指示棒、ペン等で指してその位置を入力させ、ディスプレイに接触せずに入力する。この空中タッチパネルは、発光性を有する画像を表示する表示器と、表示器の画像を入力し一空間に出力して画像を結像する結像手段と、画像が表示される一空間に配置された光学式の位置入力手段とを有する。ここで、結像手段は、第１、第２の光制御パネルが、それぞれの第１、第２の帯状光反射部を平面視して交差状態にして当接又は近接配置されている。
【先行技術文献】
【特許文献】
【０００４】
【特許文献１】特開平１０−１８７７３８号公報
【特許文献２】特開２０１４−６７０７１号公報
【発明の概要】
【発明が解決しようとする課題】
【０００５】
店頭で多くの来店者に情報を提供する場合、ポスターなどにより、多くの目につきやすいところで情報を提供する。しかしながら、多くの来店者に提供する情報は、特定の顧客を特化した情報でないため、ターゲットマーケティングが困難である。一方、インターネット通販等においては、商店サーバへのログイン者に対して、この顧客に特化した情報を提供している。しかしながら、店頭に情報端末を設置する場合には、一般の来店者と、特定の顧客とに情報を提供する必要がある。特に後者の場合には、他の来店者による覗き見を考慮する必要がある。
【０００６】
本発明は、上記問題点を解決するためになされたものであり、一般の来店者に対する情報と、特定の顧客に対する情報とを効率的に提供するための情報表示システムを提供することにある。
【課題を解決するための手段】
【０００７】
・上記課題を解決する情報表示システムは、空間に画像を結像させた表示面において、利用者に対して情報を提示する表示部と、利用者を認証する認証部と、前記表示面の表示形態を制御する制御部とを備える。そして、前記制御部が、前記認証部において利用者を認証した場合、前記表示面における表示形態を変更する。これにより、空間に結像された表示面において、広く情報を提供する場合と、特定の利用者に情報を提供する場合とを使い分けることができる。
【０００８】
・上記情報表示システムにおいて、前記制御部が、前記認証部において利用者を特定した場合、前記表示部の表示面を水平面に近くなるように角度を変更することが好ましい。これにより、表示面の角度に応じて、広い範囲で情報を提供する場合と、狭い範囲で情報を提供する場合とを制御することができる。
【０００９】
・上記情報表示システムにおいて、前記制御部が、前記認証部において利用者を特定した場合、前記表示面のサイズを変更することが好ましい。これにより、表示面のサイズにより、広い範囲で情報を提供する場合と、狭い範囲で情報を提供する場合とを制御することができる。
【００１０】
・上記情報表示システムにおいて、前記表示面において、非接触で前記利用者の操作位置を特定する入力部を更に備え、前記制御部が、前記操作位置に応じた情報を出力することが好ましい。これにより、操作時の接触による衛生性や摩耗等による耐久性を向上させることができる。
【発明の効果】
【００１１】
本発明によれば、一般の来店者に対する情報と、特定の顧客に対する情報とを効率的に提供することができる。
【図面の簡単な説明】
【００１２】
【図１】本発明の実施形態の情報表示システムの説明図。
【図２】本実施形態の表示端末の動作状態の説明図であって、（ａ）は一般向け情報の提供時、（ｂ）は個人向け情報の提供時の説明図。
【図３】各情報記憶部に記憶されたデータの説明図であって、（ａ）は顧客情報記憶部、（ｂ）は商品情報記憶部、（ｃ）は店舗情報記憶部に記録されたデータの説明図。
【図４】本実施形態の処理手順の説明図。
【図５】本実施形態の処理手順の説明図であって、（ａ）は来店者検知時処理、（ｂ）は個人特定時処理、（ｃ）は操作時処理の説明図。
【図６】他の実施形態の動作状態の説明図であって、（ａ）は一般向け情報の提供時、（ｂ）は個人向け情報の提供時の説明図。
【図７】他の実施形態の動作状態の説明図であって、（ａ）は一般向け情報の提供時、（ｂ）は個人向け情報の提供時の説明図。
【図８】他の実施形態の動作状態の説明図であって、（ａ）は表示装置、（ｂ）は一般向け情報の提供時、（ｃ）は個人向け情報の提供時の説明図。
【発明を実施するための形態】
【００１３】
以下、情報表示システムを具体化した一実施形態を、図１〜図５に従って説明する。本実施形態では、商店の来店者（利用者）に対して、各種情報を提供する。この場合、個人を特定していない一般顧客に対しては、一般向け情報を提供し、個人を特定した会員顧客に対しては、個人向け情報を提供する。このため、会員顧客に対しては、固有のカードＩＤを記録した会員カードを提供する。
【００１４】
本実施形態では、図１に示すように、情報表示システムとして、ネットワークで接続された表示端末１０と管理サーバ２０とを用いる。
表示端末１０は、商店の店頭に設置されたコンピュータ端末である。この表示端末１０は、制御部１１、表示部１２、入力部１３、変更部１４、来店者検知センサ１５、個人認証センサ１６を備える。
【００１５】
制御部１１は、ＣＰＵ、ＲＯＭ、ＲＡＭから構成され、後述するように、来店者に情報を提供する表示面の表示形態を制御する。
表示部１２は、管理サーバ２０から取得した情報を表示する処理を実行する。本実施形態では、空間（空中）に画像を結像させた表示面において、利用者に対して情報を提示するディスプレイ（空中ディスプレイ）を用いる。
【００１６】
ここでは、図２（ａ）に示すように、表示端末１０の筐体１０ａ内に、表示部１２として、特許文献２に開示されている表示器及び結像手段を設ける。そして、表示器に表示された画像を、結像手段を介して、筐体１０ａ上方の空間（空中）に投影して表示面１２１に結像する。また、表示部１２の表示器や結像手段の配置を変更することにより、図２（ｂ）に示すように、表示面１２１とは異なる角度で傾斜させた表示面１２２に結像させることもできる。
【００１７】
入力部１３は、来店者の入力を取得する処理を実行する。本実施形態では、来店者の動作をカメラで撮影して、非接触で操作位置を検出する。そして、この操作位置に応じて、表示面１２１上の選択項目を特定する。
【００１８】
変更部１４は、表示部１２の表示器や結像手段の配置を変更することにより、表示面１２１の表示形態を変更する処理を実行する。この変更部１４は、表示部１２の傾きを変更することにより、一般向け表示設定、個人向け表示設定を行なう。具体的には、図２（ａ）に示すように、個人を特定していない場合には、表示面１２１を直立に近い角度（θ１１）状態に制御する。一方、個人を特定した場合には、図２（ｂ）に示すように、表示面１２２を倒して水平に近い角度θ１２（＜θ１１）状態に制御する。
【００１９】
来店者検知センサ１５は、表示端末１０の所定範囲内に所在する人を検知する処理を実行する。
個人認証センサ１６は、会員顧客を特定するための情報を取得する処理を実行する。本実施形態では、会員カードに記録された個人特定情報（カードＩＤ）を読み取るカードリーダを用いる。
【００２０】
管理サーバ２０は、来店者に対して提供する情報や会員顧客情報を管理するコンピュータシステムである。この管理サーバ２０は、制御部２１、顧客情報記憶部２２、商品情報記憶部２３、店舗情報記憶部２４を備えている。
【００２１】
制御部２１は、図示しないＣＰＵ等の制御手段、ＲＡＭ及びＲＯＭ等のメモリを有する。そして、情報表示プログラムを実行することにより、一般管理部２１１、個人管理部２１２として機能する。
【００２２】
一般管理部２１１は、一般顧客に対する個人向け情報を管理する処理を実行する。この一般管理部２１１は、インターネットを介して、天気情報提供サーバに接続される。更に、一般管理部２１１は、画像に基づいて顧客の属性（性別や年齢層）を判定するための画像パターンを保持している。
個人管理部２１２は、会員顧客に対する個人向け情報を管理する処理を実行する。この個人管理部２１２は、個人認証センサ１６から取得した情報に基づいて、会員顧客を認証する認証部として機能する。
【００２３】
図３（ａ）に示すように、顧客情報記憶部２２には、会員顧客を管理するための顧客管理レコード２２０が記録されている。顧客管理レコード２２０は、顧客が会員登録した場合に記録され、この会員カードを提示して商品を購入した場合に更新される。顧客管理レコード２２０には、カードＩＤ、顧客ＩＤ、顧客属性、購入履歴に関するデータが記録される。
【００２４】
カードＩＤデータ領域には、各会員カードを特定するための識別子に関するデータが記録される。
顧客ＩＤデータ領域には、この会員カードを保有する顧客を特定するための識別子に関するデータが記録される。
【００２５】
顧客属性データ領域には、この顧客の属性（例えば、氏名や住所）に関するデータが記録される。
購入履歴データ領域には、この顧客が購入した商品を特定するための識別子（商品コード）に関するデータが記録される。
【００２６】
図３（ｂ）に示すように、商品情報記憶部２３には、この商店において販売する各商品を管理するための商品管理レコード２３０が記録されている。商品管理レコード２３０は、商店において販売する商品が登録された場合に記録される。商品管理レコード２３０には、商品コード、表示内容、表示条件、棚ＩＤに関するデータが記録される。
【００２７】
商品コードデータ領域には、商店において販売される各商品を特定するための識別子に関するデータが記録される。
表示内容データ領域には、この商品についての案内（簡易情報、詳細情報）に関するデータが記録される。
【００２８】
表示条件データ領域には、この表示内容を表示する条件に関するデータが記録される。本実施形態では、表示条件として、この商品を推奨するときの環境条件（季節、天気）に関する情報が記録される。また、この商品を特売品として取り扱う場合には、表示条件として特売情報が記録される。また、表示条件として、この商品の購入経験者に対して推奨する関連商品に関する情報（商品コード等）や、この商品を推奨する性別や年齢層に関する情報が記録される。
棚ＩＤデータ領域には、この商品が設置されている場所（本実施形態では、商品棚）を特定するための識別子に関するデータが記録される。
【００２９】
図３（ｃ）に示すように、店舗情報記憶部２４には、この商店の商品配置のレイアウトを管理するための地図データ２４０が記録されている。地図データ２４０は、商品配置のレイアウトが登録された場合に記録される。地図データ２４０には、商店の店内地図に対して、棚ＩＤ及び座標に関するデータが記録される。
【００３０】
棚ＩＤデータ領域には、各商品棚を特定するための識別子の位置に関するデータが記録される。
座標データ領域には、地図上において、各棚ＩＤの棚が設置された場所を特定するためのデータが記録される。
【００３１】
（表示制御処理）
次に、図４を用いて、この情報表示システムにおける表示制御処理を説明する。
ここでは、まず、表示端末１０は、一般向け表示設定処理を実行する（ステップＳ１−１）。具体的には、表示端末１０の制御部１１は、来店者検知センサ１５により、表示端末１０の周囲（所定範囲）における人の所在を検出する。ここで、個人認証センサ１６において会員カードを読み取っていない場合には、制御部１１は、変更部１４に対して、一般向け表示設定を指示する。この場合、変更部１４は、表示部１２を制御して、直立させた表示面１２１を生成する。
【００３２】
次に、表示端末１０は、一般向け情報の出力処理を実行する（ステップＳ１−２）。具体的には、表示端末１０の制御部１１は、ネットワークを介して、管理サーバ２０に、来店者情報を送信する。本実施形態では、来店者情報には、来店者検知センサ１５において取得した来店者画像を含める。この場合、管理サーバ２０の制御部２１は、後述する来店者検知時処理を実行する。そして、制御部２１は、決定した一般向け情報を表示端末１０に送信する。この場合、表示端末１０の制御部１１は、表示面１２１に、管理サーバ２０から取得した一般向け情報を出力する。
【００３３】
次に、表示端末１０の制御部１１は、終了かどうかについての判定処理を実行する（ステップＳ１−３）。具体的には、表示端末１０の制御部１１は、来店者検知センサ１５において、来店者を検出できなくなった場合に終了と判定する。
【００３４】
終了と判定した場合（ステップＳ１−３において「ＹＥＳ」の場合）、表示端末１０は、一般向け情報の出力を停止し、表示制御処理を終了する。
一方、終了でないと判定した場合（ステップＳ１−３において「ＮＯ」の場合）、表示端末１０は、個人を特定したかどうかについての判定処理を実行する（ステップＳ１−４）。具体的には、表示端末１０の制御部１１は、個人認証センサ１６において、会員カードのカードＩＤを読み取り、会員顧客のカードＩＤを取得した場合には、個人特定と判定する。
【００３５】
個人を特定していないと判定した場合（ステップＳ１−４において「ＮＯ」の場合）、表示端末１０は、一般向け情報の出力処理（ステップＳ１−２）以降の処理を継続する。
一方、個人を特定したと判定した場合（ステップＳ１−４において「ＹＥＳ」の場合）、表示端末１０は、個人向け情報の取得処理を実行する（ステップＳ１−５）。具体的には、表示端末１０の制御部１１は、管理サーバ２０に対して、個人認証センサ１６において読み取った会員カードのカードＩＤを管理サーバ２０に送信する。この場合、管理サーバ２０は、後述する個人特定時処理を実行して、個人向け情報を決定する。そして、表示端末１０は、管理サーバ２０において決定された個人向け情報を取得する。
【００３６】
次に、表示端末１０は、個人向け表示設定処理を実行する（ステップＳ１−６）。具体的には、表示端末１０の制御部１１は、変更部１４に対して、個人向け表示設定を指示する。この場合、変更部１４は、表示部１２の配置を変更して、表示面が上方を向く表示面１２２を生成する。この表示面１２２は、水平面に近い傾斜角度となる。
【００３７】
次に、表示端末１０は、個人向け情報の出力処理を実行する（ステップＳ１−７）。具体的には、制御部１１は、表示部１２に、管理サーバ２０から取得した個人向け情報を出力する。
【００３８】
次に、表示端末１０の制御部１１は、終了かどうかについての判定処理を実行する（ステップＳ１−８）。具体的には、表示端末１０の制御部１１は、表示面１２２に表示された画面において、入力部１３により「ログアウト」の選択を検知した場合には、操作終了と判定する。また、来店者検知センサ１５において、個人を特定した来店者を検知できなくなった場合にも操作終了と判定する。
【００３９】
終了でないと判定した場合（ステップＳ１−８において「ＮＯ」の場合）、表示端末１０は、個人向け情報の出力処理（ステップＳ１−７）以降の処理を継続する。
一方、終了と判定した場合（ステップＳ１−８において「ＹＥＳ」の場合）、表示端末１０は、個人向け情報の出力を停止し、表示制御処理を終了する。
【００４０】
（来店者検知時処理）
次に、図５（ａ）を用いて、来店者検知時処理を説明する。
まず、管理サーバ２０の制御部２１は、来店者情報の取得処理を実行する（ステップＳ２−１）。具体的には、制御部２１の一般管理部２１１は、表示端末１０から来店者情報を受信する。
【００４１】
次に、管理サーバ２０の制御部２１は、ウェルカム情報の出力処理を実行する（ステップＳ２−２）。具体的には、制御部２１の一般管理部２１１は、来店のお礼メッセージを、表示端末１０に送信する。この場合、表示端末１０は、一般向け情報の出力処理（ステップＳ１−２）において、お礼メッセージを表示部１２に出力する。
【００４２】
次に、管理サーバ２０の制御部２１は、環境情報の取得処理を実行する（ステップＳ２−３）。具体的には、制御部２１の一般管理部２１１は、インターネットを介して、天気情報提供サーバにアクセスし、季節及び天気に関する情報を取得する。
【００４３】
次に、管理サーバ２０の制御部２１は、来店者の属性の特定処理を実行する（ステップＳ２−４）。具体的には、制御部２１の一般管理部２１１は、来店者情報に含まれる来店者画像の顔領域を特定する。そして、一般管理部２１１は、顔画像の特徴量に基づいて、顧客の属性を判定する。ここでは、画像パターンのパターンマッチングにより、性別や年齢層を予測する。
【００４４】
次に、管理サーバ２０の制御部２１は、トレンド情報の取得処理を実行する（ステップＳ２−５）。具体的には、制御部２１の一般管理部２１１は、商品情報記憶部２３を用いて、天気情報提供サーバから取得した季節及び天気に合致する表示条件が記録されている商品管理レコード２３０を抽出する。更に、一般管理部２１１は、表示条件に特売情報が記録されている商品管理レコード２３０を抽出する。
【００４５】
次に、管理サーバ２０の制御部２１は、出力情報の決定処理を実行する（ステップＳ２−６）。具体的には、制御部２１の一般管理部２１１は、抽出した商品管理レコード２３０において、予測した性別や年齢層に合致する表示条件で表示の優先順位を決定する。そして、一般管理部２１１は、特定した商品管理レコード２３０に記録されている表示内容（簡易情報）を、一般向け情報として、表示の優先順位に基づいて表示端末１０に送信する。この場合、表示端末１０で実行される一般向け情報の出力処理（ステップＳ１−２）において、優先順位の順番で、順次、各商品についての表示内容が出力される。
【００４６】
（個人特定時処理）
次に、図５（ｂ）を用いて、個人特定時処理を説明する。この処理は、来店者が、表示端末１０の個人認証センサ１６に会員カードをかざした場合に実行される。ここでは、会員顧客の購入履歴に応じた情報を提供する場合を説明する。
【００４７】
まず、管理サーバ２０の制御部２１は、カード情報の取得処理を実行する（ステップＳ３−１）。具体的には、制御部２１の個人管理部２１２は、表示端末１０からカードＩＤを取得する。
【００４８】
次に、管理サーバ２０の制御部２１は、購買履歴の特定処理を実行する（ステップＳ３−２）。具体的には、制御部２１の個人管理部２１２は、顧客情報記憶部２２において、表示端末１０から取得したカードＩＤが記録されている顧客管理レコード２２０を検索する。カードＩＤが記録されている顧客管理レコード２２０を抽出できない場合には、個人管理部２１２は、表示端末１０に対してエラーメッセージを返信する。一方、カードＩＤが記録されている顧客管理レコード２２０を抽出できた場合には、個人管理部２１２は、顧客管理レコード２２０に記録されている購入履歴を取得する。
【００４９】
次に、管理サーバ２０の制御部２１は、関連商品の特定処理を実行する（ステップＳ３−３）。具体的には、制御部２１の個人管理部２１２は、商品情報記憶部２３から、購入履歴に記録されている商品コードの商品管理レコード２３０を取得する。そして、この商品管理レコード２３０の表示条件データ領域に記録されている関連商品コードを取得する。
【００５０】
次に、管理サーバ２０の制御部２１は、出力情報の決定処理を実行する（ステップＳ３−４）。具体的には、制御部２１の個人管理部２１２は、商品情報記憶部２３から、関連商品コードが記録されている商品管理レコード２３０を抽出し、商品管理レコード２３０の表示内容（簡易情報）を表示端末１０に送信する。この場合、表示端末１０で実行される個人向け情報の出力処理（ステップＳ１−７）において、関連商品についての表示内容が出力される。
【００５１】
（操作時処理）
次に、図５（ｃ）を用いて、操作時処理を説明する。この処理は、表示端末１０の入力部１３が、来店者の動作に基づいて操作を検知した場合に実行される。
【００５２】
まず、表示端末１０は、選択動作の検知処理を実行する（ステップＳ４−１）。具体的には、表示端末１０の制御部１１は、入力部１３により、表示面１２１，１２２において、所望の商品を選択する動作を検知する。
【００５３】
次に、表示端末１０は、表示商品の特定処理を実行する（ステップＳ４−２）。具体的には、表示端末１０の制御部１１は、選択動作により指定された領域を特定し、この領域に表示されている商品を特定する。
【００５４】
次に、表示端末１０は、詳細情報の出力処理を実行する（ステップＳ４−３）。具体的には、表示端末１０の制御部１１は、管理サーバ２０に対して、特定した商品の商品コードを送信する。この場合、管理サーバ２０の制御部２１は、受信した商品コードが記録された商品管理レコード２３０の表示内容データ領域から詳細情報を取得する。そして、制御部２１は、表示端末１０に詳細情報を送信する。個人を特定していない場合には、一般向け表示設定において情報が出力され、個人を特定した場合には、個人向け表示設定において情報が出力される。
【００５５】
次に、表示端末１０の制御部１１は、ガイド情報の出力処理を実行する（ステップＳ４−４）。具体的には、制御部２１は、特定した商品管理レコード２３０の棚ＩＤを取得し、店舗情報記憶部２４に記録されている地図において、棚ＩＤの座標を特定する。そして、制御部２１は、商品棚を示した地図情報を表示端末１０に送信する。
【００５６】
以上、本実施形態によれば、以下に示す効果を得ることができる。
（１）本実施形態では、個人を特定していない場合には、表示端末１０は、一般向け表示設定処理（ステップＳ１−１）、一般向け情報の出力処理（ステップＳ１−２）を実行する。この場合、表示面を立脚させて、一般向け情報を出力する。これにより、広い範囲で来店者に情報を見せることができる。また、個人を特定した場合には、個人向け表示設定処理（ステップＳ１−６）、個人向け情報の出力処理（ステップＳ１−７）を実行する。この場合、表示面を水平面に近づけるように倒して、個人向け情報を出力する。これにより、表示端末１０の近くの狭い範囲で情報を出力することができる。
【００５７】
（２）本実施形態では、入力部１３は、来店者の入力を取得する処理を実行する。本実施形態では、来店者の動作をカメラで撮影して操作位置を検出する。そして、この操作位置に応じて、表示面１２１上の選択項目を特定する。これにより、来店者は、表示端末１０本体に触れることなく操作することができる。タッチパネルディスプレイの表示面に指を接触させる場合には、接触による衛生面や、表示面の摩耗や故障等の耐久性についての課題が生じる可能性がある。本実施形態では、空中に表示面を設け、この表示面において、非接触で操作を検知することにより、これらの課題を解決することができる。
【００５８】
（３）本実施形態では、管理サーバ２０の制御部２１は、環境情報の取得処理を実行する（ステップＳ２−３）。更に、管理サーバ２０の制御部２１は、来店者の属性の特定処理を実行する（ステップＳ２−４）。これにより、季節や時間帯、来店者属性に応じた一般向け情報を提供することができる。
【００５９】
（４）本実施形態では、管理サーバ２０の制御部２１は、購買履歴の特定処理（ステップＳ３−２）、関連商品の特定処理（ステップＳ３−３）を実行する。これにより、特定された顧客に応じた情報を提供することができる。
【００６０】
なお、上記実施形態は、以下の態様に変更してもよい。
・上記実施形態では、一般向け情報を表示する場合と個人向け情報を表示する場合とで、表示面の角度を変更する。ここで、表示方法の変更はこれに限定されるものではない。
【００６１】
図６に示すように、表示面のサイズを変更するようにしてもよい。具体的には、一般向け情報を表示する場合には、図６（ａ）に示すように、大きな表示面１２１に大きな文字で情報を出力する。一方、個人向け情報を表示する場合には、図６（ｂ）に示すように、小さな表示面１２３に小さな文字で情報を出力する。これにより、一般向け情報を、多く人に遠くからでも見えるように出力し、個人向け情報を会員顧客のみに見えるように出力することができる。
【００６２】
また、図７に示すように、個人認証後、表示面を囲むようにガード１０ｂを立脚させてもよい。具体的には、一般向け情報を表示する場合には、図７（ａ）に示すように、ガード１０ｂを筐体１０ａの内部に格納し、表示面１２１に情報を出力する。一方、個人向け情報を表示する場合には、図７（ｂ）に示すように、ガード１０ｂを筐体１０ａから突出させ、水平面に近く傾斜させた表示面１２４の周囲を囲む。
【００６３】
また、図８に示すように、一般向け情報を表示する場合と個人向け情報を表示する場合とで、視野角（θ２１、θ２２）の制御を行なうようにしてもよい。この場合には、図８（ａ）に示す表示端末１０の表示部１２５に、視野角の制御可能なタッチパネルディスプレイを用いる。そして、一般向け情報を出力する場合には、図８（ｂ）に示すように、広い視野角θ２１を用いる。一方、個人向け情報を取得する場合には、図８（ｃ）に示すように、狭い視野角θ２２（＜θ２１）に変更する。
また、上記の各種表示方法（傾斜角度、ガード、視野角等）を組み合わせて、表示変更を行なうようにしてもよい。
【００６４】
・上記実施形態では、一般向け情報を表示する場合と個人向け情報を表示する場合とで、表示面１２１の角度を変更する。ここで、来店者の属性（例えば身長）等に応じて、表示方法を決定するようにしてもよい。この場合には、顧客情報記憶部２２の顧客管理レコード２２０に、個人向け情報の表示方法を設定しておく。ここでは、会員顧客の属性（例えば、背の高さや本人の希望）に応じて、表示面１２２の角度を記録しておく。そして、顧客管理レコード２２０に、会員カードにより、会員顧客を特定した場合には、顧客管理レコード２２０に記録された角度で、個人向け表示設定処理を実行する（ステップＳ１−６）。
【００６５】
・上記実施形態では、会員顧客の購入履歴に応じた情報を提供する場合を説明したが、個人向け情報は、これに限定されるものではない。例えば、個人の保有するポイントを顧客情報記憶部２２に記録しておき、保有ポイントを出力するようにしてもよい。
【００６６】
・上記実施形態では、表示端末１０及び管理サーバ２０を用いて、サーバ・クライアント方式で情報を表示したが、ハードウェア構成はこれに限定されるものではない。例えば、各記憶部（２２〜２４）を表示端末１０内に設けて、一体型装置として構成することも可能である。
【００６７】
・上記実施形態では、来店者を検知した表示端末１０の制御部１１は、一般向け情報の出力処理を実行する（ステップＳ１−２）。ここで、複数人を検知した場合には、多数決で出力情報を決定する。この場合には、来店者画像において、複数の来店者の属性を特定する。そして、数が多い属性に基づいて出力情報を決定する。
【００６８】
・上記実施形態では、会員カードに記録されたカードＩＤを用いて、会員顧客を識別したが、識別方法はこれに限定されるものではない。例えば、会員カードは商店専用に限定されるものではなく、公知の交通機関カードを用いることができる。更に、指紋等の生体情報を用いることもできる。この場合、顧客情報記憶部２２に、会員顧客を識別するための生体情報を記録しておく。また、個人認証センサ１６として、生体認証リーダを用いる。
【００６９】
次に、上記実施形態及び別例から把握できる技術的思想について、それらの効果とともに以下に追記する。
（ａ）制御部が、認証部において利用者を特定した場合、利用者の属性に応じた表示形態を変更することを特徴とする情報表示システム。
これにより、利用者によって使いやすい表示面を提供することができる。
【符号の説明】
【００７０】
１０…表示端末、１１…制御部、１２，１２５…表示部、１３…入力部、１４…変更部、１５…来店者検知センサ、１６…個人認証センサ、２０…管理サーバ、２１…制御部、２１１…一般管理部、２１２…個人管理部、２２…顧客情報記憶部、２３…商品情報記憶部、２４…店舗情報記憶部、１２１，１２２，１２３，１２４…表示面。
【図１】
0006482794.tif 000002
【図２】
0006482794.tif 000003
【図３】
0006482794.tif 000004
【図４】
0006482794.tif 000005
【図５】
0006482794.tif 000006
【図６】
0006482794.tif 000007
【図７】
0006482794.tif 000008
【図８】
0006482794.tif 000009